(57)【要約】【課題】部品数の削減およびつまみねじの形状の簡易化を図る。【解決手段】つまみねじ１には、先端ねじ部１３より頭部側にパネル２の穴２１より径が大きいフランジ１４が設けられ、パネル２に取り付けられ、フランジ１４より径が小さく、かつ、つまみねじ１のフランジ１４より頭部側を挿通可能とする穴３４を有し、パネル２と共にフランジ１４を挟み込むカバー３を備えた。【選択図】図１
2013157342.tif 000002
【特許請求の範囲】
【請求項１】
先端側にねじ部を有するつまみねじと、前記つまみねじの先端側を挿通可能な穴を有するパネルと、前記ねじ部と螺合するねじ穴を有し、前記つまみねじを介して前記パネルを固定するサブラックとを備えたユニットのねじ抜け止め構造において、
前記つまみねじには、前記ねじ部より頭部側に前記パネルの穴より径が大きいフランジが設けられ、
前記パネルに取り付けられ、前記フランジより径が小さく、かつ、前記つまみねじのフランジより頭部側を挿通可能とする穴を有し、前記パネルと共に前記フランジを挟み込むカバーを備えた
ことを特徴とするユニットのねじ抜け止め構造。
【請求項２】
前記パネルおよび前記サブラックのうち、一方には位置決め用のガイドピンが設けられ、他方には前記ガイドピンと係合するピン穴が設けられた
ことを特徴とする請求項１記載のユニットのねじ抜け止め構造。
【請求項３】
前記パネルに取り付けられ、自身が回動することで、前記サブラックに当接して前記パネルに近づける／遠ざける挿抜レバーを備えた
ことを特徴とする請求項１または請求項２記載のユニットのねじ抜け止め構造。
【請求項４】
前記挿抜レバーは、ウェーブワッシャを介して前記パネルに取り付けられた
ことを特徴とする請求項３記載のユニットのねじ抜け止め構造。
【請求項５】
前記つまみねじは、自身を回転するためのねじつまみ部を有し、当該ねじつまみ部と前記フランジより頭部側のねじ軸が略同一の径である
ことを特徴とする請求項１から請求項４のうちのいずれか１項記載のユニットのねじ抜け止め構造。
【発明の詳細な説明】
【技術分野】
【０００１】
この発明は、つまみねじを用いて、パネル（例えばドーターボードパネル）をサブラックに固定するユニットのねじ抜け止め構造に関するものである。
【背景技術】
【０００２】
従来から、つまみねじを用いて、パネルをサブラックに固定するユニットが知られている（例えば特許文献１〜４参照）。この特許文献１〜４に開示されたユニットは、例えば図１４，１５に示すように、つまみねじ１０１、パネル１０２、サブラック１０３および挿抜レバー１０４から構成されている。なお、パネル１０２の背面には基板１０５が取り付けられている。
【０００３】
このつまみねじ１０１の頭部には、外径がパネル１０２のねじ穴１０２１の内径より大きく構成されたねじつまみ部１０１１が設けられている。また、つまみねじ１０１の先端側には、サブラック１０３のねじ穴１０３５の雌ねじおよびパネル１０２のねじ穴１０２１の雌ねじとそれぞれ螺合する雄ねじを外周に有するねじ部１０１２，１０１３が設けられている。そして、ねじつまみ部１０１１とねじ部１０１３との間には、軸径がパネル１０２のねじ穴１０２１の内径より小さく構成されたねじ軸１０１４が設けられている。
【０００４】
また、パネル１０２の長手方向の両端側には、つまみねじ１０１のねじ軸１０１４を挿通可能とし、内周につまみねじ１０１のねじ部１０１３の雄ねじと螺合する雌ねじを有するねじ穴１０２１が設けられている。また、このねじ穴１０２１のつまみねじ１０１挿入側には、一方の端面がねじつまみ部１０１１の端面に当接し、他方の端面がパネル１０２の端面と当接するようにねじ軸１０１４を内包するバネ１０２２と、つまみねじ１０１をガイドするガイドスペーサ１０２３とが設けられている。
【０００５】
また、サブラック１０３には、パネル１０２に取り付けられた基板１０５をガイドするガイド面１０３１と、ガイド面１０３１の外側面に略垂直に設けられ、パネル１０２をサブラック１０３に固定した際にパネル１０２と当接するパネル当り面１０３２と、パネル当り面１０３２と略平行に所定距離離して設けられ、パネル１０２をサブラック１０３に固定した際につまみねじ１０１を固定するねじ板１０３３とが設けられている。また、パネル当り面１０３２には、つまみねじ１０１のねじ軸１０１４を挿通可能な穴１０３４が設けられている。また、ねじ板１０３３には、内周につまみねじ１０１のねじ部１０１２の雄ねじと螺合する雌ねじを有するねじ穴１０３５が設けられている。また、サブラック１０３には、挿抜レバー１０４の凹部１０４２を挿入可能とする穴１０３６が設けられている。
【０００６】
また、挿抜レバー１０４には、パネル１０２の側面に回動自在に取り付けられた回動機構１０４１が設けられている。また、挿抜レバー１０４の一端側には、回動機構１０４１による挿抜レバー１０４の回動により、サブラック１０３の穴１０３６を介してパネル当り面１０３２に当接して移動させる凹部１０４２が設けられている。また、挿抜レバー１０４の他端側には、凹部１０４２に当接したサブラック１０３をパネル１０２に近づける／遠ざけるように挿抜レバー１０４を回動させるレバー部１０４３が設けられている。
【０００７】
そして、上記のように構成されたユニットにおいて、基板１０５が取り付けられたパネル１０２をサブラック１０３に挿入して固定する場合には、図１４に示すように、まず、パネル１０２のねじ穴１０２１に挿通されたつまみねじ１０１の先端側をサブラック１０３のパネル当り面１０３２の穴１０３４に挿入する。次いで、レバー部１０４３により挿抜レバー１０４を回動させることで、挿抜レバー１０４の凹部１０４２をパネル当り面１０３２に当接させて、サブラック１０３をパネル１０２側に引き寄せる。次いで、つまみねじ１０１のねじ部１０１２をねじ板１０３３のねじ穴１０３５に当てた後、ねじつまみ部１０１１を回転させることで、つまみねじ１０１のねじ部１０１２をねじ板１０３３のねじ穴１０３５にねじ入れる。
以上の動作により、図１５に示すように、パネル１０２にパネル当り面１０３２が当接し、つまみねじ１０１がねじ板１０３３に固定されることで、パネル１０２をサブラック１０３に固定することができる。
【０００８】
なお、パネル１０２をサブラック１０３に固定する前では、図１４に示すように、バネ１０２２が圧縮されることなく伸びているため、ねじつまみ部１０１１はパネル１０２から離れて、ねじ部１０１３がパネル１０２に引っかかった状態で止まっている。これにより、つまみねじ１０１が無意識に動くことはなく、サブラック１０３に固定する前に、つまみねじ１０１が他部品と干渉する等の状況の発生を防止することができる。
【先行技術文献】
【特許文献】
【０００９】
【特許文献１】特開平８−４２５４６号公報
【特許文献２】特開２００２−３４９５３７号公報
【特許文献３】特開２００７−２２７５８４号公報
【特許文献４】特願２０１１−４２１６８号公報
【発明の概要】
【発明が解決しようとする課題】
【００１０】
しかしながら、特許文献１〜４に開示された従来技術では、パネル１０２をサブラック１０３に固定するため、つまみねじ１０１を固定するためのねじ板１０３３をサブラック１０３に設ける必要がある。また、パネル１０２をサブラック１０３に固定する前の状態において、つまみねじ１０１の他部品への干渉等を防止するため、バネ１０２２およびガイドスペーサ１０２３を設ける必要がある。そのため、部品数が多くなり、また、つまみねじ１０１が複雑な形状となり、価格が上昇する要因となっているという課題があった。
【００１１】
この発明は、上記のような課題を解決するためになされたもので、部品数の削減およびつまみねじの形状の簡易化が可能なユニットのねじ抜け止め構造を提供することを目的としている。
【課題を解決するための手段】
【００１２】
この発明に係るユニットのねじ抜け止め構造は、先端側にねじ部を有するつまみねじと、つまみねじの先端側を挿通可能な穴を有するパネルと、ねじ部と螺合するねじ穴を有し、つまみねじを介してパネルを固定するサブラックとを備え、つまみねじには、ねじ部より頭部側にパネルの穴より径が大きいフランジが設けられ、パネルに取り付けられ、フランジより径が小さく、かつ、つまみねじのフランジより頭部側を挿通可能とする穴を有し、パネルと共にフランジを挟み込むカバーを備えたものである。
【発明の効果】
【００１３】
この発明によれば、上記のように構成したので、部品数を削減することができ、つまみねじの形状の簡易化を図ることができる。
【図面の簡単な説明】
【００１４】
【図１】この発明の実施の形態１に係るユニットにおいてパネルをサブラックに固定する前の状態を示す図であり、（ａ）は正面図であり、（ｂ）は（ａ）のＡ−Ａ線断面図である。
【図２】この発明の実施の形態１に係るユニットにおいてパネルをサブラックに固定する前の状態を示す図であり、（ａ）は正面図であり、（ｂ）は（ａ）のＢ−Ｂ線断面図である。
【図３】この発明の実施の形態１に係るユニットにおいてパネルをサブラックに固定した状態を示す図であり、（ａ）は正面図であり、（ｂ）は（ａ）のＣ−Ｃ線断面図である。
【図４】この発明の実施の形態１に係るユニットにおいてパネルをサブラックに固定した状態を示す図であり、（ａ）は正面図であり、（ｂ）は（ａ）のＤ−Ｄ線断面図である。
【図５】この発明の実施の形態１における挿抜レバーの構成を示す拡大部品分解図である。
【図６】この発明の実施の形態１におけるカバーのパネルへの取り付けを示す拡大部品分解断面図（取り付け前）である。
【図７】この発明の実施の形態１におけるカバーのパネルへの取り付けを示す拡大部品分解断面図（取り付け後）である。
【図８】この発明の実施の形態２に係るユニットにおいてパネルをサブラックに固定する前の状態を示す図であり、（ａ）は正面図であり、（ｂ）は（ａ）のＥ−Ｅ線断面図である。
【図９】この発明の実施の形態２に係るユニットにおいてパネルをサブラックに固定する前の状態を示す図であり、（ａ）は正面図であり、（ｂ）は（ａ）のＦ−Ｆ線断面図である。
【図１０】この発明の実施の形態２に係るユニットにおいてパネルをサブラックに固定した状態を示す図であり、（ａ）は正面図であり、（ｂ）は（ａ）のＧ−Ｇ線断面図である。
【図１１】この発明の実施の形態２に係るユニットにおいてパネルをサブラックに固定した状態を示す図であり、（ａ）は正面図であり、（ｂ）は（ａ）のＨ−Ｈ線断面図である。
【図１２】この発明の実施の形態２におけるカバーのパネルへの取り付けを示す拡大部品分解断面図（取り付け前）である。
【図１３】この発明の実施の形態２におけるカバーのパネルへの取り付けを示す拡大部品分解断面図（取り付け後）である。
【図１４】従来のユニットにおいてパネルをサブラックに固定する前の状態を示す図であり、（ａ）は正面図であり、（ｂ）は（ａ）のＩ−Ｉ線断面図である。
【図１５】従来のユニットにおいてパネルをサブラックに固定した状態を示す図であり、（ａ）は正面図であり、（ｂ）は（ａ）のＪ−Ｊ線断面図である。
【発明を実施するための形態】
【００１５】
以下、この発明の実施の形態について図面を参照しながら詳細に説明する。
実施の形態１．
図１，２はこの発明の実施の形態１に係るユニットにおいてパネル２をサブラック４に固定する前の状態を示す図であり、図３，４はパネル２をサブラック４に固定した状態を示す図である。なお、図１〜４では、つまみねじ１を用いて、パネル２の上下の２箇所でパネル２をサブラック４に固定する場合を示している。
このユニットは、図１〜４に示すように、つまみねじ１、パネル２、カバー３、サブラック４および挿抜レバー５から構成されている。なお、パネル２の背面には基板６が取り付けられている。
【００１６】
つまみねじ１は、サブラック４に固定されることで、パネル２をサブラック４に固定するものである。このつまみねじ１の頭部には、つまみねじ１を回転させるためのねじつまみ部１１が設けられている。このねじつまみ部１１の外径は、カバー３の穴３４の内径より小さく構成されている。また、つまみねじ１の先端部１２は、サブラック４のねじ穴４３に対して斜め挿入されることを防止する目的（挿入時に先端をガイドする目的）で球形状または傾斜を付けて形成されている（図では球形状）。この先端部１２の軸径は、サブラック４のねじ穴４３の内径より小さく構成されている。
【００１７】
つまみねじ１の先端部１２よりねじつまみ部１１側には、先端ねじ部１３が設けられている。この先端ねじ部１３の外周には、サブラック４のねじ穴４３の雌ねじと螺合する雄ねじが施されている。さらに、つまみねじ１の先端ねじ部１３よりねじつまみ部１１側には、フランジ１４が設けられている。このフランジ１４の外径は、パネル２の穴２１の内径およびカバー３の穴３４の内径より大きく構成されている。そして、つまみねじ１のねじつまみ部１１とフランジ１４との間に設けられたねじ軸１５は、その軸径がねじつまみ部１１の外径より小さく構成されている。
【００１８】
一方、パネル２の長手方向の両端には、つまみねじ１の先端側を挿入可能な穴２１が設けられている。この穴２１の内径は、つまみねじ１の先端部１２および先端ねじ部１３の外径より大きく、かつ、フランジ１４の外径より小さく構成されている。また、パネル２には、内周に雌ねじが施され、カバー３を取り付けるためのねじ穴２２が設けられている。さらに、パネル２のサブラック４側には、図２，４に示すように、サブラック４を位置決めするためのガイドピン２３が設けられている。
【００１９】
一方、カバー３は、パネル２に取り付けられ、パネル２と共につまみねじ１のフランジ１４を挟み込むことで、つまみねじ１の抜け防止を実現するものである。このカバー３は段差を構成するように折れ曲った板部材であり、パネル２に取り付けられる取り付け面３１と、パネル２と共につまみねじ１のフランジ１４を挟み込む段差面３２とが構成されている。この取り付け面３１には、カバー３をパネル２に取り付けるためのねじ３５を挿入可能な穴３３が設けられている。また、段差面３２には、つまみねじ１のフランジ１４よりねじつまみ部１１側を挿通可能な穴３４が設けられている。この穴３４の内径は、つまみねじ１のねじつまみ部１１およびねじ軸１５の外径より大きく、かつ、フランジ１４の外径より小さく構成されている。
【００２０】
一方、サブラック４は、パネル２を保持するものである。このサブラック４は、パネル２に取り付けられた基板６をガイドするガイド面４１と、このガイド面４１の外側面に略垂直に設けられ、パネル２をサブラック４に固定した際にパネル２と当接するパネル当り面４２とが設けられている。また、パネル当り面４２には、つまみねじ１を固定するためのねじ穴４３が設けられている。このねじ穴４３の内周には、先端ねじ部１３の雄ねじと螺合する雌ねじが施されている。また、パネル当り面４２には、ガイドピン２３と係合するピン穴４４が設けられている。さらに、サブラック４には、挿抜レバー５の凹部５２を挿入可能とする穴４５が設けられている。
【００２１】
一方、挿抜レバー５は、サブラック４に対してパネル２を挿抜する際に用いるものである。この挿抜レバー５には、パネル２の側面に回動自在に取り付けられた回動機構５１が設けられている。また、挿抜レバー５の一端側には、回動機構５１による挿抜レバー５の回動により、サブラック４の穴４５を介してパネル当り面４２に当接して移動させる凹部５２が設けられている。また、挿抜レバー５の他端側には、凹部５２に当接したサブラック４をパネル２に近づける／遠ざけるように挿抜レバー５を回動させるレバー部５３が設けられている。
【００２２】
また、回動機構５１は、図５に示すように、パネル２の側面に一体に構成されたボス５４と、ウェーブワッシャ５５と、凹部５２およびレバー部５３を有するレバー本体部５６と、基板６と、ねじ５７とから構成されている。また、ボス５４には内周にねじ５７の雄ねじと螺合する雌ねじが施されたねじ穴５８が設けられ、レバー本体部５６にはボス５４と嵌合する穴５９が設けられ、基板６にはねじ５７を挿通可能な穴６１が設けられている。
そして、挿抜レバー５は、ボス５４にウェーブワッシャ５５を嵌め、その上にレバー本体部５６を嵌めた後、ボス５４の端面に基板６の穴６１を合わせて、ねじ５７により固定する。これにより、ねじ止め後では、ウェーブワッシャ５５が圧縮状態となり、このウェーブワッシャ５５の面摩擦によって、重力や振動に伴うレバー本体部５６の回転を抑制することができる。
【００２３】
次に、カバー３のパネル２への取り付けを説明する。図６，７はこの発明の実施の形態１におけるカバー３のパネル２への取り付けを示す拡大部品分解断面図である。
カバー３をパネル２に取り付ける場合には、図６に示すように、まず、パネル２の穴２１に先端側が挿入されたつまみねじ１のねじつまみ部１１に、カバー３の段差面３２の穴３４を嵌めて挿入する。そして、カバー３の取り付け面３１の穴３３を、パネル２のねじ穴２２に位置決めして、ねじ３５により固定する。これにより、図７に示すように、カバー３をパネル２に取り付けることができる。
【００２４】
次に、上記のように構成されたユニットにおいて、基板６が取り付けられたパネル２をサブラック４に挿入して固定する場合の動作について、図１〜４を参照しながら説明する。
パネル２をサブラック４に固定する場合、まず、図２に示すように、サブラック４のピン穴４４にパネル２のガイドピン２３を挿入して、サブラック４の位置決めを行う。次いで、図１に示すように、レバー部５３により挿抜レバー５を回動させることで、挿抜レバー５の凹部５２をサブラック４のパネル当り面４２に当接させて、サブラック４をパネル２側に引き寄せる。次いで、つまみねじ１の先端ねじ部１３をサブラック４のねじ穴４３に当てた後、ねじつまみ部１１を回転させることで、つまみねじ１の先端ねじ部１３をサブラック４のねじ穴４３にねじ入れる。
以上の動作により、図３，４に示すように、パネル２にパネル当り面４２が当接し、つまみねじ１がパネル当り面４２に固定されることで、パネル２をサブラック４に固定することができる。
【００２５】
ここで、本実施の形態では、つまみねじ１の先端ねじ部１３とねじ軸１５との間にフランジ１４を設け、このフランジ１４をパネル２とカバー３とで挟み込むことで、つまみねじ１の抜け止めを実現している。
これにより、図１に示すように、パネル２をサブラック４に固定する前の状態では、つまみねじ１の重心がカバー３より外側に位置するため、つまみねじ１がパネル２の穴２１から抜け出す方向に垂れ下がった状態となる。そして、この際、つまみねじ１がパネル２の穴２１から飛び出すことはない。そのため、つまみねじ１がパネル２とサブラック４との間に干渉すること等がないため、従来のバネ１０２２およびガイドスペーサ１０２３が不要となり部品数を削減することができる。
【００２６】
また、本実施の形態では、つまみねじ１の抜け止めを実現するためのカバー３を用いているため、従来、つまみねじ１０１の固定のために用いていたサブラック１０３のねじ板１０３３の機能を、サブラック４のパネル当り面４２に一体化することが可能となる。よって、ねじ板１０３３が不要となり、部品数を削減することができる。
【００２７】
また、本実施の形態では、パネル２にガイドピン２３を設け、サブラック４にガイドピン２３と係合するピン穴４４を設け、サブラック４の位置決めを行うように構成している。これにより、パネル２とサブラック４の位置決めを行うことができるため、つまみねじ１のねじ軸１５を挿通するパネル２の穴２１を任意の大きさにし、つまみねじ１とサブラック４のねじ穴４３の位置の調整代を任意に大きく取ることが可能となる。
【００２８】
また、本実施の形態では、つまみねじ１の先端部１２を球形状または傾斜を付けて形成し、つまみねじ１の先端部１２よりねじつまみ部１１側に、サブラック４のねじ穴４３と螺合する先端ねじ部１３を設けている。これにより、例えばサブラック４のねじ穴４３のピッチ精度が大きい場合であっても、つまみねじ１が他部材と干渉することなく締付けを行うことができ、また、斜め挿入することがないため、ねじのかじり等の締付けの不具合を防止することができる。
【００２９】
また、本実施の形態では、挿抜レバー５を、ウェーブワッシャ５５を介してパネル２に取り付けている。そして、ねじ止め後のウェーブワッシャ５５は圧縮状態であり、このウェーブワッシャ５５のバネ反力の面摩擦により、重力や振動に伴うレバー本体部５６の回転を抑制することができる。また、挿抜レバー５を設けることで、パネル２のサブラック４に対する挿入取り付けおよび抜き外しを行う際の操作性が向上する。
【００３０】
以上のように、この実施の形態１によれば、つまみねじ１の先端ねじ部１３とねじ軸１５との間にパネル２の穴２１およびカバー３の穴３４より径が大きいフランジ１４を設け、パネル２とカバー３とによりフランジ１４を挟み込むことでつまみねじ１の抜け防止を実現するように構成したので、部品数を削減することができ、つまみねじ１の形状の簡易化を図ることができる。
【００３１】
なお、実施の形態１では、パネル２に位置決め用のガイドピン２３を設け、サブラック４にガイドピン２３と係合するピン穴４４を設けた場合について示したが、反対に、サブラック４にガイドピンを設け、パネル２にガイドピンに係合するピン穴を設けるようにしてもよい。
【００３２】
実施の形態２．
実施の形態２は、実施の形態１におけるつまみねじ１の形状を簡素化したものについて示す。
図８，９はこの発明の実施の形態２に係るユニットにおいてパネル２をサブラック４に固定する前の状態を示す図であり、図１０，１１はパネル２をサブラック４に固定した状態を示す図である。
図８〜１１に示す実施の形態２に係るユニットは、図１〜４に示す実施の形態１に係るユニットのつまみねじ１のねじ軸１５をねじ軸１６に変更したものである。その他の構成は同様であり、同一の符号を付してその説明を省略する。
【００３３】
実施の形態１におけるつまみねじ１では、ねじ軸１５の軸径を、ねじつまみ部１１の外径よりも小さく構成した。それに対して、実施の形態２におけるつまみねじ１では、加工を簡素化するため、ねじ軸１６の軸径をねじつまみ部１１の外径と略同一としている。
その他の構成・動作等は図８〜１３に示すとおり実施の形態１での構成・動作等と同様であり、その説明を省略する。
【００３４】
以上のように、この実施の形態２によれば、つまみねじ１のねじ軸１６の軸径をねじつまみ部１１の外径と略同一にしたので、実施の形態１と比較して、加工を簡素化でき、価格低減を図ることが可能である。
【００３５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３６】
１  つまみねじ、２  パネル、３  カバー、４  サブラック、５  挿抜レバー、６  基板、１１  ねじつまみ部、１２  先端部、１３  先端ねじ部、１４  フランジ、１５，１６  ねじ軸、２１，３３，３４，４５，５９，６１  穴、２２，４３，５８  ねじ穴、２３  ガイドピン、３１  取り付け面、３２  段差面、３５，５７  ねじ、４１  ガイド面、４２  パネル当り面、４４  ピン穴、５１  回動機構、５２  凹部、５３  レバー部、５４  ボス、５５  ウェーブワッシャ、５６  レバー本体部。
【図１】
2013157342.tif 000003
【図２】
2013157342.tif 000004
【図３】
2013157342.tif 000005
【図４】
2013157342.tif 000006
【図５】
2013157342.tif 000007
【図６】
2013157342.tif 000008
【図７】
2013157342.tif 000009
【図８】
2013157342.tif 000010
【図９】
2013157342.tif 000011
【図１０】
2013157342.tif 000012
【図１１】
2013157342.tif 000013
【図１２】
2013157342.tif 000014
【図１３】
2013157342.tif 000015
【図１４】
2013157342.tif 000016
【図１５】
2013157342.tif 000017